(57)【要約】【課題】妻壁への管路材の取付に熟練を要さず、短い工期で、しかも安定した施工品質で妻壁に管路材を取り付けることができると共に、増管や減管を簡単且つ自由に行なうことができる、電線共同溝等の特殊部における管路材取付構造を提供する。【解決手段】円筒状の本体１２ａを有し、この本体１２ａが妻壁Ｗの枡外側と枡内側とを連通する管路口となるソケット１２が、妻壁Ｗに埋設される。上記ソケット１２の本体１２ａ内に嵌挿される円筒部１４ａを有するホールキャップ１４が、上記ソケット１２に枡外側から装着及び離脱され、上記ソケット１２の枡外側端面を開閉する。上記の管路口に接続する管路材Ｐの接続側の端部外周を囲繞すると共に、その端部外周に固着される一対の半割円筒体１６ａからなるアダプタ１６を、上記の管路材Ｐに固着させて上記ソケット１２の本体１２ａ内に枡外側から嵌挿させることで、上記の管路口に管路材Ｐが接続される。【選択図】図１
2015056927.tif 000002
【特許請求の範囲】
【請求項１】
円筒状の本体(１２ａ)を有し、この本体(１２ａ)が電線共同溝等の特殊部を形成する妻壁(Ｗ)の枡外側と枡内側とを連通する管路口となるように上記の妻壁(Ｗ)に埋設されるソケット(１２)と、
上記ソケット(１２)の本体(１２ａ)内に嵌挿される円筒部(１４ａ)を有し、上記ソケット(１２)に枡外側から装着及び離脱され、上記ソケット(１２)の枡外側端面を開閉するホールキャップ(１４)と、
上記の管路口に接続する管路材(Ｐ)の接続側の端部外周を囲繞すると共に、その端部外周に固着される一対の半割円筒体(１６ａ)を有し、上記の管路材(Ｐ)に固着させた一対の半割円筒体(１６ａ)を上記ソケット(１２)の本体(１２ａ)内に枡外側から嵌挿させることで、上記の管路口に管路材(Ｐ)を接続するアダプタ(１６)とを備える、
ことを特徴とする電線共同溝等の特殊部における管路材取付構造。
【請求項２】
請求項１の電線共同溝等の特殊部における管路材取付構造において、
前記アダプタ(１６)の前記半割円筒体(１６ａ)の内周面と前記管路材(Ｐ)の接続側の端部外周面との間の隙間を水密的に封鎖するスペーサー(１８)をさらに備える、ことを特徴とする電線共同溝等の特殊部における管路材取付構造。
【請求項３】
請求項１又は２の電線共同溝等の特殊部における管路材取付構造において、
前記ソケット(１２)における本体(１２ａ)の枡内側の端部に、その端面を閉鎖し、ハンマー(３０)による打撃で崩壊して上記端面を開放する止水膜(２０)が設けられている、ことを特徴とする電線共同溝等の特殊部における管路材取付構造。
【請求項４】
請求項１乃至３のいずれかの電線共同溝等の特殊部における管路材取付構造において、
前記ソケット(１２)の本体(１２ａ)の内周面には、その表面が突出した１又は複数の係合突起(１２ｂ)が設けられており、
前記ホールキャップ(１４)の円筒部(１４ａ)及び前記アダプタ(１６)の半割円筒体(１６ａ)の外周面には、上記ソケット(１２)への挿入側の先端から上記の円筒部(１４ａ)及び半割円筒体(１６ａ)の軸方向に延設された軸方向案内溝(２２ａ)(２４ａ)と、その軸方向案内溝(２２ａ)(２４ａ)の奥部から上記の円筒部(１４ａ)及び半割円筒体(１６ａ)の周方向に延設された周方向係止溝(２２ｂ)(２４ｂ)とからなり、上記の係合突起(１２ｂ)と協働して上記ソケット（１２）に嵌挿させた上記ホールキャップ(１４)及び上記アダプタ(１６)がそのソケット(１２)から離脱しないようにロックする略Ｌ字形状の係合溝(２２)(２４)が設けられている、ことを特徴とする電線共同溝等の特殊部における管路材取付構造。
【発明の詳細な説明】
【技術分野】
【０００１】
この発明は、電線共同溝等の特殊部の妻壁に、伸縮性取付管などの管路材を取り付けるための管路材取付構造（管路口簡易取付装置）に関する。
【背景技術】
【０００２】
従来より、電線共同溝等の特殊部の妻壁に管路口を設け、伸縮性取付管などの管路材を取り付ける際には、管路口を設けるために予め薄肉(厚さ約５ｃｍ前後)に形成された妻壁のノックアウトを削孔し、これにより形成された孔(管路口)に管路材を挿入した後、該孔と管路材との隙間にモルタルを充填する工法が採用されている（例えば、特許文献１参照。）。
【先行技術文献】
【特許文献】
【０００３】
【特許文献１】特開平１０−１４６８１８号公報
【発明の概要】
【発明が解決しようとする課題】
【０００４】
しかしながら、上記の従来技術には次のような問題がある。
すなわち、ノックアウトの削孔作業やモルタルによる隙間の充填作業は熟練を要するのに加え、それらの作業に手間と時間が掛かるため、コストアップの要因となっていた。
また、作業者の技量の差によって管路口への管路材取付品質にバラツキが生じやすく、妻壁への均一な管路材の取り付けが困難であるという問題があった。
さらに、妻壁に取り付ける管路材の増管或いは減管を簡単且つ低コストで行なうことができないという問題もあった。
それゆえに、本発明の主たる課題は、妻壁への管路材の取り付けに熟練を要さず、短い工期で、しかも安定した施工品質で妻壁に管路材を取り付けることができると共に、増管や減管を簡単且つ自由に行なうことができる、電線共同溝等の特殊部における管路材取付構造を提供することにある。
【課題を解決するための手段】
【０００５】
上記の目的を達成するため、本発明は、例えば、図１から５に示すように、電線共同溝等の特殊部における管路材取付構造１０を次のように構成した。
円筒状の本体１２ａを有し、この本体１２ａが電線共同溝等の特殊部を形成する妻壁Ｗの枡外側と枡内側とを連通する管路口となるソケット１２が、上記の妻壁Ｗに埋設される。上記ソケット１２の本体１２ａ内に嵌挿される円筒部１４ａを有するホールキャップ１４が、上記ソケット１２に枡外側から装着及び離脱され、上記ソケット１２の枡外側端面を開閉する。上記の管路口に接続する管路材Ｐの接続側の端部外周を囲繞すると共に、その端部外周に固着される一対の半割円筒体１６ａからなるアダプタ１６を、上記の管路材Ｐに固着させて上記ソケット１２の本体１２ａ内に枡外側から嵌挿させることで、上記の管路口に管路材Ｐが接続される。
【０００６】
上記の発明は、次のような作用効果を奏する。
管路口となるソケット１２を予め妻壁Ｗに埋設することで、妻壁Ｗのノックアウトを削孔して管路口を設ける必要がない。
また、妻壁Ｗに複数のソケット１２を埋設させておけば、これらのソケット１２にホールキャップ１４を装着又は離脱させるだけで、妻壁Ｗに取り付ける管路材Ｐの増管や減管を簡単且つ自由に行なうことができる。
そして、管路材Ｐの接続側の端部外周にアダプタ１６を取り付け、このアダプタ１６を枡外側からソケット１２に嵌挿させるだけで妻壁Ｗへの管路材Ｐの取り付けが完了し、管路口と管路材Ｐとの間の隙間をモルタルなどで充填する必要がない。
【０００７】
本発明においては、上記アダプタ１６の半割円筒体１６ａの内周面と上記管路材Ｐの接続側の端部外周面との間の隙間を水密的に封鎖するスペーサー１８をさらに備えることが好ましい。
このようなスペーサー１８について、管路材Ｐの口径に対応した様々なサイズのものを用意しておけば、ソケット１２やホールキャップ１４やアダプタ１６のサイズを変えることなく、様々な口径の管路材Ｐを妻壁Ｗに取り付けることができる。
【０００８】
また、本発明においては、上記ソケット１２における本体１２ａの枡内側の端部に、その端面を閉鎖し、ハンマー３０による打撃で崩壊して上記端面を開放する止水膜２０を設けるのが好ましい。
【０００９】
また、本発明においては、上記ソケット１２の本体１２ａの内周面に、その表面が突出した１又は複数の係合突起１２ｂを設けると共に、上記ホールキャップ１４の円筒部１４ａ及び上記アダプタ１６の半割円筒体１６ａの外周面に、上記ソケット１２への挿入側の先端から上記の円筒部１４ａ及び半割円筒体１６ａの軸方向に延設された軸方向案内溝２２ａ，２４ａと、その軸方向案内溝２２ａ，２４ａの奥部から上記の円筒部１４ａ及び半割円筒体１６ａの周方向に延設された周方向係止溝２２ｂ，２４ｂとからなり、上記の係合突起１２ｂと協働して上記ソケット１２に嵌挿させた上記ホールキャップ１４及び上記アダプタ１６がそのソケット１２から離脱しないようにロックする略Ｌ字形状の係合溝２２，２４を設けるのが好ましい。
【００１０】
さらに、本発明は、後述する実施形態に記載された特有の構成を付加することが好ましい。
【発明の効果】
【００１１】
本発明によれば、妻壁への管路材の取付に熟練を要さず、短い工期で、しかも安定した施工品質で妻壁に管路材を取り付けることができると共に、増管や減管を簡単且つ自由に行なうことができる、電線共同溝等の特殊部における管路材取付構造を提供することができる。
【図面の簡単な説明】
【００１２】
【図１】本発明における一実施例の電線共同溝等の特殊部における管路材取付構造の概略を示す一部切欠断面図（側面）である。
【図２】本発明における一実施例のソケットを示す斜視図である。
【図３】本発明における一実施例のホールキャップを示す斜視図である。
【図４】本発明における一実施例のアダプタを構成する半割筒状体を示す斜視図であり、（ａ）は正面・底面・左側面を表し、（ｂ）は、背面・平面・右側面を表す。
【図５】本発明における一実施例のスペーサーを示す斜視図である。
【図６】本発明の電線共同溝等の特殊部における管路材取付構造の施工方法のうち、管路口の開設手順の一例を示す説明図である。
【図７】本発明の電線共同溝等の特殊部における管路材取付構造の施工方法のうち、管路口への管路材の取り付け手順の一例を示す説明図である。
【発明を実施するための形態】
【００１３】
以下、本発明を図示実施例に従って説明する。
図１は、本発明の電線共同溝等の特殊部における管路材取付構造１０の一例を示す一部切欠断面図（側面）である。この図が示すように、本発明の電線共同溝等の特殊部における管路材取付構造１０は、ソケット１２，ホールキャップ１４及びアダプタ１６で大略構成されており、必要に応じてスペーサー１８(図５参照)がこれらに追加される。
【００１４】
ソケット１２は、電線共同溝等の特殊部を構成する妻壁Ｗに埋設され、その妻壁Ｗの枡外側と枡内側とを連通する管路口を形成するためのもので、図２に示すように、円筒状の本体１２ａを有する。
この本体１２ａの内周面には、後述するホールキャップ１４やアダプタ１６の係合溝２２，２４と協働してソケット１２に嵌挿したホールキャップ１４やアダプタ１６が離脱しないようにロックする１又は複数の係合突起１２ｂが突設される。なお、図２に示す例では、２つの係合突起１２ｂが、本体１２ａの内周方向にて最も離間した互いに対面する位置に突設されている。
【００１５】
また、ソケット１２の本体１２ａにおける枡外側(図１参照)の端部には、その外径が拡大されたフランジ部１２ｃが形成されている。このフランジ部１２ｃには、枡外側の端面にて開口する周方向溝１２ｃ１が設けられており、この周方向溝１２ｃ１内にリング状のゴム製パッキン１２ｄが装着されている。
さらに、本体１２ａの外周面には、その表面が径方向に突出し且つ本体１２ａの軸方向全体に亘って延ばされた板状のフィン１２ｅが、周方向に複数列設けられると共に、その表面が径方向に突出し且つ本体１２ａ外周面の周方向に延ばされた板状の鍔部材１２ｆが、本体１２ａの軸方向に複数段設けられている。このようなフィン１２ｅ及び鍔部材１２ｆを設けることにより、ソケット１２を、妻壁Ｗを構成するコンクリートに埋設した際、これらのフィン１２ｅ及び鍔部材１２ｆがアンカーとして機能するようになる。
【００１６】
そして、この本体１２ａの枡内側の端部には、その端面を閉鎖し、ハンマー３０（図６参照）による打撃で崩壊して上記端面を開放する止水膜２０が一体的に設けられている。このような止水膜２０を設けることにより、後述するホールキャップ１４と協働し、ソケット１２を管路口として使用しない際の止水をより一層確実なものとすることができる。
【００１７】
なお、本体１２ａの内径は、枡内側に向けて漸次小さくなるように形成されている。こうすることで、このソケット１２を介して妻壁Ｗに取り付けられた管路材Ｐが枡内側へ向けて入り込んで行くのを防止することができる。
また、このソケット１２を形成する材料については特に限定されるものではないが、難燃性ＡＢＳ樹脂のようなエンジニアリング・プラスチックを用いるのが好ましい。
【００１８】
ホールキャップ１４は、ソケット１２に枡外側から装着及び離脱され、必要に応じてソケット１２の枡外側端面を開閉するための部材で、図３及び図６に示すように、当該ソケット１２の本体１２ａ内に嵌挿される円筒部１４ａを有する。この円筒部１４ａの軸方向一端部(図１における枡外側端部)には、外径が拡大されると共に、その端面を閉鎖するフランジ部１４ｂが設けられている。また、このフランジ部１４ｂの先端側は、当該ホールキャップ１４をソケット１２に装着及び離脱させる際に便利なように、その外形が六角ボルト状に形成されている。
【００１９】
また、円筒部１４ａの外周面には、ソケット１２への挿入側の先端から円筒部１４ａの軸方向に延設された軸方向案内溝２２ａと、その軸方向案内溝２２ａの奥部から円筒部１４ａの周方向に延設された周方向係止溝２２ｂとからなり、上記の係合突起１２ｂと協働してソケット１２に嵌挿させたホールキャップ１４がそのソケット１２から離脱しないようにロックする略Ｌ字形状の係合溝２２が設けられている。
なお、図３中の符号２３は、ソケット１２の係合突起１２ｂを周方向係止溝２２ｂに係合させる際に、その係合突起１２ｂが乗り越えて両者の係合をより確実なものとするための係合凸条である。
また、円筒部１４ａの外周は、軽量化のために、係合溝２２を除く部分の肉が盗まれて外周面が格子状に形成されると共に、この円筒部１４ａの外形は、ソケット１２の本体１２ａの内形に沿うよう、その外径が枡内側に向けて漸次小さくなるように形成される。
さらに、このホールキャップ１４を形成する材料については特に限定されるものではないが、ＡＢＳ樹脂のようなエンジニアリング・プラスチックを用いるのが好ましい。
【００２０】
アダプタ１６は、ソケット１２によって構成された妻壁Ｗの管路口に、枡外側から伸縮性取付管などの管路材Ｐを接続するための部材で、図４及び図７に示すように、その管路材Ｐの接続側の端部外周を囲繞すると共に、その端部外周に固着される一対の半割円筒体１６ａを有する。この半割円筒体１６ａの軸方向一端部(枡外側端部)には、その外径が拡大されて半割フランジ部１６ｂが形成されている。この半割フランジ部１６ｂは、半割円筒体１６ａの軸方向に２段で構成されており、半割円筒体１６ａと連接する下段１６ｂ１には、半割フランジ部１６ｂ径方向断面が略コ字状で内周に向けて開口する周方向溝１７が設けられており(図４（ｂ）参照)、先端側(枡外側)の上段１６ｂ２は、当該アダプタ１６をソケット１２に装着及び離脱させる際に便利なように、その外形が半割六角ボルト状に形成されている(図４（ａ）参照)。
【００２１】
また、このアダプタ１６の半割円筒体１６ａ同士を連結する合わせ面１６ｃ，１６ｄの一方１６ｃには、１又は複数(図示実施例の場合は２つ)の係合爪２６が凸設されており、他方１６ｄには、その係合爪２６を係止する係止孔２８が上記の係合爪２６に対応する位置にこれと同数設けられている。
さらに、半割円筒体１６ａの内周面には、管路材Ｐの接続側の端部外周を水密的に囲繞するため、ゴム製のパッド１６ｅが貼着される。
【００２２】
そして、半割円筒体１６ａの外周面には、ソケット１２への挿入側の先端から半割円筒体１６ａの軸方向に延設された軸方向案内溝２４ａと、その軸方向案内溝２４ａの奥部から半割円筒体１６ａの周方向に延設された周方向係止溝２４ｂとからなり、上記の係合突起１２ｂと協働してソケット１２に嵌挿させたアダプタ１６がそのソケット１２から離脱しないようにロックする略Ｌ字形状の係合溝２４が設けられている。
なお、図４（ａ）中の符号２５は、ソケット１２の係合突起１２ｂを周方向係止溝２４ｂに係合させる際に、その係合突起１２ｂが乗り越えて両者の係合をより確実なものとするための係合凸条である。
【００２３】
また、半割円筒体１６ａの外周は、軽量化のために、係合溝２４を除く部分の肉が盗まれて外周面が格子状に形成されると共に、一対の半割円筒体１６ａを組み合わせた際の外形は、ソケット１２の本体１２ａの内形に沿うよう、その外径が枡内側に向けて漸次小さくなるように形成される。
さらに、以上のように構成されたアダプタ１６を形成する材料については特に限定されるものではないが、難燃性ＡＢＳ樹脂のようなエンジニアリング・プラスチックを用いるのが好ましい。
【００２４】
スペーサー１８は、アダプタ１６の半割円筒体１６ａの内周面と管路材Ｐの接続側の端部外周面との間の隙間を水密的に封鎖するための部材で、エチレンプロピレンゴム(ＥＰＤＭ)などの弾性材料からなり、上記の半割円筒体１６ａの内面に沿う外周形状の半割円筒部１８ａを有する。この半割円筒部１８ａの内周形状は、アダプタ１６を装着する管路材Ｐの口径に対応した形状となっており、当該管路材Ｐと半割円筒部１８ａ内周面との水密性をより一層向上させるため、この内周面の周方向に延ばされた上記の弾性材料からなる凸畝条１８ｂが、半割円筒部１８ａの軸方向に複数列設けられている。
【００２５】
また、この半割円筒部１８ａの軸方向一端部(枡外側端部)には、その外径が拡大され、アダプタ１６の半割フランジ部１６ｂの下段１６ｂ１に設けられた周方向溝１７に嵌合する半割嵌合フランジ部１８ｃが形成される。このような半割嵌合フランジ部１８ｃを設けることにより、スペーサー１８とアダプタ１６との間の水密性をより一層高めることができるようになる。
また、スペーサー１８の半割円筒部１８ａ同士を連結する合わせ面１８ｄ，１８ｅの一方１８ｄには、内周側が上段部１８ｄ１となり外周側が下段部１８ｄ２となるような段が形成されており、他方１８ｅには、外周側が上段部１８ｅ１となり内周側が下段部１８ｅ２となるような段が形成されている。そして、このような段部を有する半割円筒部１８ａ同士を合わせると、これらの合わせ面に相じゃくりが形成される。
【００２６】
次に、以上のように構成された電線共同溝等の特殊部における管路材取付構造１０を用いて、特殊部の妻壁Ｗに管路材Ｐを接続する方法の一例について説明する。
先ず始めに、妻壁Ｗをプレキャストする際に、管路材Ｐを取り付けることが想定される妻壁Ｗの部分に、予め複数のソケット１２を埋設しておく。この埋設作業を行なう段階から、図１に示すように、ソケット１２の枡外側にホールキャップ１４を装着して密閉しておくことが好ましい。
続いて、プレキャスト製の妻壁Ｗを用いて電線共同溝等の特殊部となるマンホールなどを構成した後、必要箇所への管路材Ｐの取付作業が行なわれる。
【００２７】
妻壁Ｗの所定位置に管路材Ｐを取り付ける際には、始めに、図６に示すように、管路材Ｐ取付位置のソケット１２を閉鎖しているホールキャップ１４を回動させ、周方向係止溝２２ｂに係合していたソケット１２の係合突起１２ｂを軸方向案内溝２２ａの位置に合わせた後、ホールキャップ１４を引き抜いてソケット１２の枡外側端面を開放する。また、これと同時に、ソケット１２の枡内側端面に設けられた止水膜２０にハンマー３０などで打撃を加えて、この止水膜２０を破壊する。これにより、ソケット１２を介して妻壁Ｗの枡外側と枡内側とを連通する管路口が形成される。
【００２８】
続いて、管路材Ｐの接続側の端部外周にアダプタ１６を取り付ける。その際、必要に応じて管路材Ｐの口径に合ったスペーサー１８を装着する。
そして、図７に示すように、管路材Ｐに固着されたアダプタ１６の軸方向案内溝２４ａとソケット１２の係合突起１２ｂとの位置を合わせた後、ソケット１２にアダプタ１６を嵌挿する。然る後、アダプタ１６を所定方向(図７に示す例の場合は、反時計回り)に回動させると、ソケット１２の係合突起１２ｂが、アダプタ１６の係合凸条２５を乗り越えて周方向係止溝２４ｂと係合してロック状態となり、妻壁Ｗへの管路材Ｐの取り付けが完了する。
なお、管路材Ｐを接続しないソケット１２については、ホールキャップ１４を付けたままにして置けばよく、後に必要であれば、上記手順で管路材Ｐを接続すればよい。
【００２９】
このように、本実施態様の電線共同溝等の特殊部における管路材取付構造１０によれば、妻壁Ｗのノックアウトを削孔して管路口を設ける作業や、管路口と管路材Ｐとの間の隙間をモルタルなどで充填する作業などの熟練を要する作業が不要となり、短い工期で、しかも安定した施工品質で妻壁Ｗに管路材Ｐを取り付けることができると共に、管路材Ｐの増管や減管を簡単且つ自由に行なうことができる。
【符号の説明】
【００３０】
１０…電線共同溝等の特殊部における管路材取付構造
１２…ソケット
１２ａ…(円筒状の)本体
１２ｂ…係合突起
１４…ホールキャップ
１４ａ…円筒部
１６…アダプタ
１６ａ…半割円筒体
１８…スペーサー
２０…止水膜
２２，２４…係合溝
２２ａ，２４ａ…軸方向案内溝
２２ｂ，２４ｂ…周方向係止溝
３０…ハンマー
Ｗ…妻壁
Ｐ…管路材
【図１】
2015056927.tif 000003
【図３】
2015056927.tif 000004
【図４】
2015056927.tif 000005
【図５】
2015056927.tif 000006
【図６】
2015056927.tif 000007
【図７】
2015056927.tif 000008
【図２】
2015056927.tif 000009